(57)【要約】【課題】  軸流ポンプの主要部品を一つの組品にして、立軸設置、横軸設置、或いは、斜軸設置を可能とした水処理用軸流ポンプを提供する。【解決手段】  主軸（９）の上部を軸支する一対の軸受（１８、１９）を軸受箱（７）に所定間隔で配列し、軸受箱（７）の近傍の主軸（９）に円板状の水切リング（２２）を外嵌すると共に、主軸（９）に外挿するメカニカルシール（２３）を吐出しエルボ（３）に嵌挿し、内周壁の凹所（Ａ）に突出させるボス部（２３ａ）と、曲壁（３ａ）に連結する鍔部（２３ｂ）を形成し、主軸（９）の先端部に羽根車（１０）を止着したので、片持で軸受される主軸（９）が短くなり、一対の軸受（１８、１９）で軸支する主軸（９）の撓みも小さくなる。そして、主要部品の組品が様々な配管レイアウトに対応する軸流ポンプとなり、メカニカルシール（２３）を無注水として、ポンプの設置方向を問わず止水可能となる。【選択図】      図２
0003124447.tif 000002
【実用新案登録請求の範囲】
【請求項１】
主軸（９）を吐出しエルボ（３、３５、４９、６０）の曲壁（３ａ、３５ａ、４９ａ、６０ａ）から挿通し、主軸（９）の先端部に止着した羽根車（１０）を吸込ベル（２、３４、４８、５９）に配設し、主軸（９）の基端部に駆動機（１５、４０）を連動連結した軸流ポンプにおいて、主軸（９）の上部を軸支する一対の軸受（１８、１９）を軸受箱（７）に所定間隔で配列し、軸受箱（７）の近傍の主軸（９）に円板状の水切リング（２２）を外嵌すると共に、吐出しエルボ（３、３５、４９、６０）に嵌挿するボス部（２３ａ）と、その曲壁（３ａ、３５ａ、４９ａ、６０ａ）に連結する鍔部（２３ｂ）を形成したメカニカルシール（２３）を主軸（９）に外挿し、主軸（９）の先端部に羽根車（１０）を止着したことを特徴とする水処理用軸流ポンプ。
【請求項２】
上記吐出しエルボ（３、３５、４９、６０）の背面側の曲壁（３ａ、３５ａ、４９ａ、６０ａ）にポンプ架台（６、３８、５２、６３）を配設し、軸受箱（７）の中間部から突設させた円環状のフランジ（８）をポンプ架台（６、３８、５２、６３）に連結し、主軸（９）を挿通する吐出しエルボ（３、３５、４９、６０）の内周壁に凹所（Ａ）を形成して、メカニカルシール（２３）のボス部（２３ａ）の一端を突出させたことを特徴とする請求項１に記載の水処理用軸流ポンプ。
【請求項３】
上記立設した円管状の吸込ベル（２）に断面視が四半円状の吐出しエルボ（３）を連設し、吸込ベル（２）の吸込口（４）を下端に開口し、吐出しエルボ（３）の吐出し口（５）を上部側方に開口して、吐出しエルボ（３）の上面側の曲壁（３ａ）を貫通させた主軸（９）を垂設したことを特徴とする請求項１または２に記載の水処理用軸流ポンプ。
【請求項４】
上記横設した円管状の吸込ベル（３４）に断面視が四半円状の吐出しエルボ（３５）を連設し、吸込ベル（３４）の吸込口（３６）を横方に開口し、吐出しエルボ（３５）の吐出し口（３７）を上方に開口して、吐出しエルボ（３５）の下面側の曲壁（３５ａ）を貫通させた主軸（９）を水平状に配設したことを特徴とする請求項１または２に記載の水処理用軸流ポンプ。
【請求項５】
上記横設した円管状の吸込ベル（４８）に断面視が概略Ｓ字状の吐出しエルボ（４９）を連設し、吸込ベル（４８）の吸込口（５０）を横方に開口し、吐出しエルボ（４９）の吐出し口（５１）を上部側方に開口して、吐出しエルボ（４９）の下面側の曲壁（４９ａ）を貫通させた主軸（９）を水平状に配設したことを特徴とする請求項１または２に記載の水処理用軸流ポンプ。
【請求項６】
上記側方と斜め上方に開口する曲管状の吸込ベル（５９）に、斜め下方と側方に開口する断面視が概略への字状の吐出しエルボ（６０）を連設し、吸込ベル（５９）の吸込口（６１）と吐出しエルボ（６０）の吐出し口（６２）を水平線上に横方開口して、吐出しエルボ（６０）の上面側の曲壁（６０ａ）を貫通させた主軸（９）を傾斜状に配設したことを特徴とする請求項１または２に記載の水処理用軸流ポンプ。
【考案の詳細な説明】
【技術分野】
【０００１】
この考案は、下水処理、高度処理を行なうための循環用或いは移送用の軸流ポンプに関し、詳しくは、立軸設置、横軸設置、或いは、斜軸設置を可能とした水処理用軸流ポンプに関する。
【背景技術】
【０００２】
従来の下水処理場や水処理設備で使用する軸流ポンプは、図１１に示すように屋上設置型の立軸軸流ポンプ６５を使用している。駆動機６６で立軸軸流ポンプ６５を駆動して、貯水槽６７から吸込ケーシング６８に流入した汚水を吐出管６９から排水管７０に排出し、下水処理、高度処理を行なうために循環させ、或いは移送している。下水処理場や水処理設備の管廊内は、限られたスペースに配管が縦横に布設されており、ポンプ設置のスペースや維持管理スペース等の確保が難しい状況となっている。従来のコンパクトに構成した横軸軸流ポンプとしては、ケーシングに設けた封液軸受と案内羽根角に支架された水中軸受に、羽根を取付けた主軸を回転自在に支持して、主軸を原動機に連結した横軸軸流ポンプは、例えば、特許文献１に記載してあるように公知である。また、片持状の主軸に固着した軸流羽根車をケーシングに収容し、ケーシングの直下流に渦巻ケーシングを配設した横軸軸流ポンプも、例えば、特許文献２に記載してあるように公知である。そして、立軸軸流ポンプの高さを低減する手段として、吐出エルボに案内羽根を配設し、揚水管を省略した立軸ポンプも、例えば、特許文献３に記載してあるように公知である。
【特許文献１】特開平７−６３１９０公報（段落番号０００７、図１）
【特許文献２】特開２００２−２５７０９４公報（段落番号０００３及び段落番号０００５、図６）
【特許文献３】特開平１１−６２８７２公報（要約、図１）
【考案の開示】
【考案が解決しようとする課題】
【０００３】
従来の主軸の先端部を水中軸受で軸支する横軸軸流ポンプは、主軸の振動を軽減し、揚水の整流化が行えるものであるが、配管が縦横に布設されている下水処理場や水処理設備の管廊内のスペースでは、ポンプ設置スペースや維持管理スペース等の確保が難しい状況となる。また、従来のケーシングの直下流に渦巻ケーシングを配設した片持状の横軸軸流ポンプは、羽根の出口から吐出管までの長さが短縮され、限られたスペースにポンプ設置が可能となるが、配管が縦横に布設されたポンプ設置スペースでは、使用場所が制限される。主軸の撓みが生じ高速での使用が不可能となり、軸受から滲み出る水を受ける部品とドレンが必要となる。そして、吐出エルボに案内羽根を配設した立軸軸流ポンプは、高さを低減できるものであるが、駆動機は槽上設置となり、吐出しエルボの近傍に全部品を配置して全体をコンパクトにすることは困難である。この発明は、主軸、軸受箱、軸受、及び羽根車の主要部品を一つの組品にして、様々な配管レイアウトに対応して立軸設置、横軸設置、斜軸設置等の設置方向が自在となる軸流ポンプを提供する。
【課題を解決するための手段】
【０００４】
この考案に係る水処理用軸流ポンプは、主軸を吐出しエルボの曲壁から挿通し、主軸の先端部に止着した羽根車を吸込ベルに配設し、主軸の基端部に駆動機を連動連結した軸流ポンプにおいて、主軸の上部を軸支する一対の軸受を軸受箱に所定間隔で配列し、軸受箱の近傍の主軸に円板状の水切リングを外嵌すると共に、吐出しエルボに嵌挿するボス部と、その曲壁に連結する鍔部を形成したメカニカルシールを主軸に外挿し、主軸の先端部に羽根車を止着したもので、主軸、軸受箱、軸受、及び羽根車の主要部品が一つの組品となり、様々な配管レイアウトに対応して、立軸設置、横軸設置、オフセットインライン型の横軸設置、インライン型の斜軸設置のケーシングに対応可能となる。そして、主軸が片持で軸受されて、主軸の長さが短くなり軸流ポンプがコンパクトになる。主軸を片持で軸支する一対の軸受の軸受間距離が長くなり、主軸の撓みが小さくなる。
【０００５】
そして、吐出しエルボの背面側の曲壁にポンプ架台を配設し、軸受箱の中間部から突設させた円環状のフランジをポンプ架台に連結し、主軸を挿通する吐出しエルボの内周壁に凹所を形成して、メカニカルシールのボス部の一端を突出させたもので、メカニカルシールを無注水として、吐出しエルボのメカニカルシール周辺を広く、水流にさらされ易い形状としたので、ポンプの設置方向をどのようにしてもエア溜まりが無く、メカニカルシールがドライ運転となることはない。軸封装置として無注水メカニカルシールを採用したことで、ポンプの設置方向を問わず止水可能となる。
【０００６】
主軸、軸受箱、軸受、及び羽根車の主要部品を一つの組品とした水処理用軸流ポンプの設置手段は、立設した円管状の吸込ベルに断面視が四半円状の吐出しエルボを連設し、吸込ベルの吸込口を下端に開口し、吐出しエルボの吐出し口を上部側方に開口して、吐出しエルボの上面側の曲壁を貫通させた主軸を垂設したもので、様々な配管及びケーシングに対応して立軸設置が可能な立軸軸流ポンプとなる。また、主要部品を一つの組品とした水処理用軸流ポンプの他の設置手段は、横設した円管状の吸込ベルに断面視が四半円状の吐出しエルボを連設し、吸込ベルの吸込口を横方に開口し、吐出しエルボの吐出し口を上方に開口して、吐出しエルボの下面側の曲壁を貫通させた主軸を水平状に配設したもので、横軸設置の横軸軸流ポンプとなる。
【０００７】
そして、主要部品を一つの組品とした水処理用軸流ポンプの他の設置手段は、横設した円管状の吸込ベルに断面視が概略Ｓ字状の吐出しエルボを連設し、吸込ベルの吸込口を横方に開口し、吐出しエルボの吐出し口を上部側方に開口して、吐出しエルボの下面側の曲壁を貫通させた主軸を水平状に配設したもので、オフセットインライン型の横軸設置の横軸軸流ポンプとなる。更に、水処理用軸流ポンプの他の設置手段は、側方と斜め上方に開口する曲管状の吸込ベルに、斜め下方と側方に開口する断面視が概略への字状の吐出しエルボを連設し、吸込ベルの吸込口と吐出しエルボの吐出し口を水平線上に横方開口して、吐出しエルボの上面側の曲壁を貫通させた主軸を傾斜状に配設したもので、インライン型の斜軸設置の斜軸軸流ポンプとなる。
【考案の効果】
【０００８】
主軸、軸受箱、軸受、及び羽根車の主要部品が一つの組品となり、立軸設置、横軸設置、斜軸設置等の設置方向が自在となり、様々な配管レイアウトに対応して軸流ポンプを設置できる。そして、吐出しエルボの近傍に全部品を配置して、片持ちの軸受で支持するので、ポンプ全体がコンパクトで、管廊内配管がシンプルとなり、維持管理スペースを確保でき、処理場の管廊等、限られたスペースにポンプを設置できる。また、軸受間距離を長くしたので、主軸の撓みが小さく、軸封装置として無注水のメカニカルシールを採用したことで、ポンプの設置方向を問わず止水可能となる。更に、水中部においてメカニカルシール周辺を広く、かつ水流にさらされ易い形状としたため、軸流ポンプの設置方向をどのようにしてもエア溜まりが無く、メカニカルシールがドライ運転にならない。
【考案を実施するための最良の形態】
【０００９】
この考案に係る水処理用軸流ポンプを図面に基づき詳述すると、図１は立軸設置の立軸軸流ポンプの縦断面図であって、立軸軸流ポンプ１は、立設した円管状の吸込ベル２に断面視が四半円状の吐出しエルボ３を連設し、吸込ベル２の吸込口４を下端に開口し、吐出しエルボ３の吐出し口５を上部側方に開口してある。
吐出しエルボ３の背面側の曲壁３ａにポンプ架台６を配設し、軸受箱７の中間部から突設させた円環状のフランジ８をポンプ架台６にボルト等で連結し、主軸９を軸受箱７で支架してある。軸受箱７に支架した主軸９は、吐出しエルボ３の曲壁３ａを貫通して吐出しエルボ３の内部に垂下し、主軸９の下端部に止着した羽根車１０を吸込ベル２の内部に延設してある。吸込ベル２に整流用の複数の案内羽根１１・・・を配設し、案内羽根１１・・・に支架した羽根車キャップ１２を羽根車１０の羽根ボス１３に対設してある。吐出しエルボ３の曲壁３ａに設けたポンプ架台６に、軸受箱７のフランジ８を夾持して駆動機架台１４が載置してあり、駆動機架台１４に支架した駆動機１５の駆動軸１６が、軸継手１７を介して主軸９の上端部に連結してある。
【００１０】
図２は、主軸に軸受箱、軸受、及び羽根車を組込んで主要部品を一つの組品とする要部縦断面図であって、主軸９を軸支した軸受箱７に、軸受間距離を長くした一対の軸受１８、１９で主軸９の上部を回動自在に軸着してあり、軸受箱７の両端に一対の軸受箱蓋２０、２１を嵌着して水封してある。羽根車１０側の軸受箱蓋２１の近傍に円板状の水切リング２２を外嵌してあり、漏水がポンプ架台６の内部に流入しても水切リング２２で阻止し、軸受箱７に進入することがない。
水切リング２２の下方にメカニカルシール２３を主軸９に外装して、主軸９の先端部を羽根車１０の羽根ボス１３に挿通してナット２４で螺着してあり、主軸９に軸受箱７と羽根車１０を組込んで主要部品を一つの組品としてある。主軸９が片持となり、水中軸受を必要としないので主軸９の長さが短くなり、立軸軸流ポンプ１がコンパクトになる。軸受箱７に所定間隔で配設した一対の軸受１８、１９の軸受間距離を長くしたので、主軸９の回転時の横振れが少なくなる。
【００１１】
図３は吐出しエルボに主軸を垂下する立軸軸流ポンプの要部拡大図であって、主軸９に外装するメカニカルシール２３は、鍔部２３ｂとその両側にボス部２３ａを有する形状としてあり、吐出しエルボ３の背面の曲壁３ａの貫通孔２５にメカニカルシール２３のボス部２３ａを嵌着させ、鍔部２３ｂを吐出しエルボ３の上面側の曲壁３ａにボルト等で連結して無注水としてある。グランドパッキンを使用する場合には、漏水を受ける部品とドレンが必要となるが、軸封装置として無注水のメカニカルシール２３を採用したことで、ポンプの設置方向を問わず止水可能である。図３に示すように、吐出しエルボ３の主軸９の貫通孔２５の内周壁に凹所Ａを形成してあり、メカニカルシール２３のボス部２３ａの一端を突出させてある。水中部において無注水のメカニカルシール２３のボス部２３ａ周辺を広く、かつ水流にさらされ易い形状としたため、ポンプの設置方向をどのようにしてもエア溜まりが無く、メカニカルシール２３がドライ運転にならない。
【００１２】
図４は貯水槽の槽外に設置した立軸軸流ポンプの実施例であって、下水処理場等の貯水槽２６に高度処理を行なうための循環用或いは移送用の立軸軸流ポンプ１が立軸設置してあり、貯水槽２６の側壁を貫通する水平状の吸水管２７に吸込弁２８を介して吸込エルボ２９を連結し、吸込エルボ２９の上方に湾曲させた後端を、立軸軸流ポンプ１の吸込ベル２に接続してある。立軸軸流ポンプ１の吐出しエルボ３に、水平状に配設した吐出管３０を接続し、吐出管３０は吐出弁３１を介して排水管３２に連結してある。駆動機１５で立軸軸流ポンプ１を駆動して、貯水槽２６の汚水を抜き出し、高度処理を行なうために汚水を循環させ、或いは次の処理装置に移送させる。
【００１３】
図５は横軸設置の横軸軸流ポンプの側面図であって、横軸軸流ポンプ３３は、横設した円管状の吸込ベル３４に断面視が四半円状の吐出しエルボ３５を連設し、吸込ベル３４の吸込口３６を横方に開口し、吐出しエルボ３５の吐出し口３７を上方に開口してある。吐出しエルボ３５の下面側の曲壁３５ａにポンプ架台３８を配設し、図２に示す構造の、一つの組品とする主軸９に組込んだ軸受箱７をポンプ架台３８に連結し、吐出しエルボ３５の内部に突設した主軸９を水平状に配設してある。なお、図示は省略するが、主軸９を挿通させる吐出しエルボ３５の内周壁に凹所Ａを形成してある。主軸９の基端部に軸継手３９を介して駆動機４０の駆動軸４１に連結してあり、横軸軸流ポンプ３３と駆動機４０を架台４２に載置して、槽外型の横軸設置としてある。図６は貯水槽の槽外に設置した横軸軸流ポンプの実施例であって、貯水槽２６に横軸軸流ポンプ３３を横軸設置して、貯水槽２６に配設した吸水管２７に吸込弁２８を介して吸込ベル３４を連結してある。横軸軸流ポンプ３３の吐出しエルボ３５に、垂設した吐出管４３が接続してあり、吐出管４３は吐出弁４４を介して上方の揚水管４５に連結してある。駆動機４０で横軸軸流ポンプ３３を駆動して、貯水槽２６の汚水を揚水管４５から排水管４６に排水する。
【００１４】
図７は横軸設置の横軸軸流ポンプの縦断面図であって、横軸軸流ポンプ４７は、横設した円管状の吸込ベル４８に断面視が概略Ｓ字状の吐出しエルボ４９を連設し、吸込ベル４８の吸込口５０を横方に開口し、吐出しエルボ４９の吐出し口５１を上部側方に開口してある。吐出しエルボ４９の下面側の曲壁４９ａにポンプ架台５２が配設してあり、図２に示す構造の、主軸９に組込んだ軸受箱７をポンプ架台５２に連結し、吐出しエルボ４９の内部に突設した主軸９を水平状に配設してある。主軸９の先端部に止着した羽根車１０を吸込ベル４８の内部に配設し、羽根車１０の吸込側の吸込ベル４８に案内羽根５３を配設してある。なお、図示を省略するが、主軸９を挿通させる吐出しエルボ４９の内周壁に凹所Ａを形成してある。ポンプ架台５２に駆動機架台１４を連結し、主軸９の基端部に軸継手１７を介して駆動機１５の駆動軸１６を連結してある。図８は貯水槽の槽外に設置したオフセットインラインタイプの横軸軸流ポンプの実施例であって、貯水槽２６に横軸軸流ポンプ４７が横軸設置してあり、貯水槽２６に配設した吸水管２７に吸込弁２８を介して横軸軸流ポンプ４７の吸込ベル４８に連結してある。横軸軸流ポンプ４７の吐出しエルボ４９に、横設した吐出管３０が接続してあり、吐出管３０は吐出弁３１を介して排水管３２に連結してある。槽外に横軸設置した横軸軸流ポンプ４７は、貯水槽２６から汚水を抜き出す吸水管２７と汚水を排出する排水管３２がオフセットインラインを形成してある。
【００１５】
図９は斜軸設置の斜軸軸流ポンプの縦断面図であって、斜軸軸軸流ポンプ５８は、側方と斜め上方に開口する曲管状の吸込ベル５９に、斜め下方と側方に開口する断面視が概略への字状の吐出しエルボ６０を連設し、吸込ベル５９の吸込口６１と吐出しエルボ６０の吐出し口６２を水平線上に横方開口としてある。吐出しエルボ６０の上面側の曲壁６０ａに斜め上方に傾斜させたポンプ架台６３を配設し、図２に示す構造の、主軸９に組込んだ軸受箱７をポンプ架台６３に連結し、主軸９を吐出しエルボ６０の内部に突設して傾斜状に配設してある。主軸９の先端部に止着した羽根車１０を吸込ベル５９の内部に延設し、羽根車１０の吸込側の吸込ベル５９に案内羽根６４を配設してある。なお、図示を省略するが、主軸９を挿通させる吐出しエルボ６０の内周壁に凹所Ａを形成してある。ポンプ架台６３に傾斜させた駆動機架台１４を連結し、主軸９の基端部に軸継手１７を介して駆動機１５の駆動軸１６を連結してある。
【００１６】
図１０は貯水槽の槽外に設置したインラインタイプの斜軸軸流ポンプの実施例であって、貯水槽２６に斜軸軸流ポンプ５８が斜軸設置してあり、貯水槽２６に配設した吸水管２７に吸込弁２８を介して斜軸軸流ポンプ５８の吸込ベル５９に連結してある。斜軸軸流ポンプ５８の吐出しエルボ６０に、横設した吐出管３０が接続してあり、吐出管３０は吐出弁３１を介して排水管３２に連結してある。槽外に斜軸設置した斜軸軸流ポンプ５８は、貯水槽２６から汚水を抜き出す吸水管２７と汚水を排出する排水管３２が水平線上となるインラインを形成してある。
【００１７】
この考案に係る水処理用軸流ポンプは、主軸９、軸受箱７、軸受１８、１９、羽根車１０の主要部品を一つの組品としたので、水中部に軸受がなく水中部に対しては主軸９が片持ちで陸上部の軸受１８、１９で支持し、可能な限り主軸９長を短くしたので、全体をコンパクトにできる。軸受１８、１９間の距離を長くしたことで、主軸９の撓みが小さくなり、軸封装置として無注水のメカニカルシール２３を採用したことで、ポンプの設置方向を問わず止水可能となる。水中部において無注水のメカニカルシール２３周辺を広く、かつ水流にさらされ易い形状としたため、ポンプの設置方向をどのようにしてもエア溜まりが無く、メカニカルシール２３がドライ運転にならない。この主要部品を共通の一つの組品として組み込んだ、立軸軸流ポンプ１、横軸軸流ポンプ３３、横軸軸流ポンプ４７、及び斜軸軸流ポンプ５８は、吐出しエルボ３、３５、４９、６０の近傍に全部品を配置したので、様々な配管レイアウトに対応して設置方向が自在となる。立軸設置、横軸設置、横軸設置（オフセットインライン型）、斜軸設置（インライン型）等の対応が可能となり、管廊内配管がシンプルになり、維持管理スペースを確保できる。処理場の管廊等、限られたスペースにポンプを設置したい時に有効である。
【産業上の利用可能性】
【００１８】
この考案に係る水処理用軸流ポンプは、主軸、軸受箱、軸受、羽根車の主要部品を一つの組品としたので、様々な配管レイアウトに対応して、立軸設置、横軸設置、横軸設置（オフセットインライン型）、斜軸設置（インライン型）等の対応が可能となり、管廊内配管がシンプルになり、維持管理スペースを確保できる。
従って、主軸に軸受箱と羽根車を組込んで主要部品を共通の一つの組品とする立軸軸流ポンプ、横軸軸流ポンプ、及び斜軸軸流ポンプは、下水処理、高度処理を行なうための循環用或いは移送用の軸流ポンプに好適となる。
【図面の簡単な説明】
【００１９】
【図１】この考案に係る水処理用軸流ポンプの立軸軸流ポンプの縦断面図である。
【図２】同じく、主軸に軸受箱と軸受、及び羽根車を組込んで主要部品を一つの組品とする要部縦断面図である。
【図３】同じく、吐出しエルボに主軸を垂下する立軸軸流ポンプの要部拡大図である。
【図４】同じく、貯水槽の槽外に設置した立軸軸流ポンプの実施例である。
【図５】同じく、横軸設置の横軸軸流ポンプの側面図である。
【図６】同じく、貯水槽の槽外に設置した横軸軸流ポンプの実施例である。
【図７】同じく、横軸設置の横軸軸流ポンプの縦断面図である。
【図８】同じく、貯水槽の槽外に設置したオフセットインラインタイプの横軸軸流ポンプの実施例である。
【図９】同じく、斜軸設置の斜軸軸流ポンプの縦断面図である。
【図１０】同じく、貯水槽の槽外に設置したインラインタイプの斜軸軸流ポンプの実施例である。
【図１１】従来の、屋上設置型の立軸軸流ポンプである。
【符号の説明】
【００２０】
２、３４、４８、５９  吸込ベル
３、３５、４９、６０  吐出しエルボ
３ａ、３５ａ、４９ａ、６０ａ  曲壁
４、３６、５０、６１  吸込口
５、３７、５１、６２  吐出し口
６、３８、５２、６３  ポンプ架台
７  軸受箱
８  フランジ
９    主軸
１０  羽根車
１５、４０  駆動機
１８、１９  軸受
２２  水切リング
２３  メカニカルシール
２３ａ  ボス部
２３ｂ  鍔部
Ａ    凹所
【図１】
0003124447.tif 000003
【図２】
0003124447.tif 000004
【図３】
0003124447.tif 000005
【図４】
0003124447.tif 000006
【図５】
0003124447.tif 000007
【図６】
0003124447.tif 000008
【図７】
0003124447.tif 000009
【図８】
0003124447.tif 000010
【図９】
0003124447.tif 000011
【図１０】
0003124447.tif 000012
【図１１】
0003124447.tif 000013